(57)【特許請求の範囲】
【請求項１】
容器が載置される載置部と、この載置部上の容器に上方から当接して押圧するトップロケータと、前記載置部に対してトップロケータを相対的に昇降させる昇降手段と、これら載置部とトップロケータを一体的に回転移動させる回転体とを備え、前記載置部とトップロケータによって容器を挟持した状態で移送する容器移送装置において、
前記トップロケータは、下方へ付勢されるロッドと、このロッドの下端部に昇降自在に支持されたガイドコーンと、前記ロッドとガイドコーンを昇降方向に連結するロック機構とを備え、このロック機構は、前記ガイドコーンが容器に当接する前に、容器に被せられたキャップの天面に当接してロック機構を作動させる作動部材を備えており、この作動部材がキャップの天面に当接して前記ロッドに対して相対的に押し上げられることにより、前記ロッドとガイドコーンを昇降方向に連結することを特徴とする容器移送装置。
【請求項２】
前記ロッドの下端部に上下方向のガイド孔が形成され、このガイド孔内に、前記ガイドコーンの上部中央に形成された円筒部が昇降可能に挿通され、かつ、ガイドコーンの前記円筒部内に、前記作動部材の下端部をガイドコーンの容器への当接位置よりも下方に突出させて、昇降可能に支持させ、
前記ロッドのガイド孔の内面に係合部を形成するとともに、前記ガイドコーンの円筒部の周壁に、前記係合部に係合可能な係合部材を収容する収容孔を形成し、前記作動部材が前記キャップの天面に当接して前記ロッドに対して相対的に押し上げられた際に、前記係合部材を係合部に押し付けて前記ロッドとガイドコーンとを昇降方向に連結することを特徴とする請求項１に記載の容器移送装置。
【発明の詳細な説明】
【技術分野】
【０００１】
本発明は、容器の載置部（例えばびん台）に載せられた容器を上方からトップロケータによって押圧した状態で移送する容器移送装置に係り、特に、トップロケータの構成に特徴を有する容器移送装置に関するものである。
【背景技術】
【０００２】
回転体の外周部に円周方向等間隔で設けられたびん台上に容器を載せ、上方からトップロケータによってこの容器の上部を押圧して保持した状態で回転移送する容器移送装置が広く用いられている（例えば、特許文献１参照）。
【０００３】
特許文献１に記載された「容器位置決め装置」に設けられているトップロケータは、回転体の下部側を構成する回転テーブルに設けられた各びん台（特許文献１では容器位置決め装置と呼んでいる）と上下の位置を一致させて、回転体の上部側を構成する回転プレートに設けられている。トップロケータは回転プレートに固定された鉛直方向の筒体と、この筒体内に昇降自在に嵌合されたロッドと、このロッドの下端に取り付けられ、ロッドが下降した際に容器の頭部に嵌合して保持するガイドコーン（特許文献１ではヘッドと呼んでいる）とを備えている。そして、前記昇降ロッドはスプリングによって常時下方へ付勢されている。
【０００４】
前記昇降ロッドの、筒体から上方へ突出している部分にカムフォロアが取り付けられている。一方、前記回転プレートよりも上方には、回転体の外部に固定されたカムプレートが配置されており、このカムプレートのカム面に昇降ロッドのカムフォロアが係合し、回転体の回転に伴ってカムフォロアがカム面に沿って移動することにより、昇降ロッドが昇降する。
【先行技術文献】
【特許文献】
【０００５】
【特許文献１】特開平８−１３３２５１号公報
【発明の概要】
【発明が解決しようとする課題】
【０００６】
前記回転体のびん台には、容器が、入口スターホイールによって保持され、外周側をガイド部材によってガイドされつつ供給される。これら入口スターホイールおよびガイド部材から、回転体のびん台に容器の受け渡しが行われた時点で、上方からトップロケータが下降して容器の頭部を押圧し保持する。前記入口スターホイールとガイド部材が、容器の上部側をガイドする構成の場合には、容器が供給されなかったときに、下降してきたトップロケータが入口スターホイールやガイド部材に乗り上げてダメージを与えてしまうおそれがある。特に近年広く用いられるようになったペットボトル等の軽量容器の場合には、ネック部を支持して搬送するため、このような問題が起こりやすかった。
【課題を解決するための手段】
【０００７】
本発明は、びん台等の載置部上に容器が供給されなかった場合でも、スターホイールやガイド部材を損傷するおそれのない容器移送装置を提供することを目的とするものであり、容器が載置される載置部と、この載置部上の容器に上方から当接して押圧するトップロケータと、前記載置部に対してトップロケータを相対的に昇降させる昇降手段と、これら載置部とトップロケータを一体的に回転移動させる回転体とを備え、前記載置部とトップロケータによって容器を挟持した状態で移送する容器移送装置において、前記トップロケータは、下方へ付勢されるロッドと、このロッドの下端部に昇降自在に支持されたガイドコーンと、前記ロッドとガイドコーンを昇降方向に連結するロック機構とを備え、このロック機構は、前記ガイドコーンが容器に当接する前に、容器に被せられたキャップの天面に当接してロック機構を作動させる作動部材を備えており、この作動部材がキャップの天面に当接して前記ロッドに対して相対的に押し上げられることにより、前記ロッドとガイドコーンを昇降方向に連結することを特徴とするものである。
【０００８】
また、第２の発明は、前記請求項１に記載の容器移送装置において、前記ロッドの下端部に上下方向のガイド孔が形成され、このガイド孔内に、前記ガイドコーンの上部中央に形成された円筒部が昇降可能に挿通され、かつ、ガイドコーンの前記円筒部内に、前記作動部材の下端部をガイドコーンの容器への当接位置よりも下方に突出させて、昇降可能に支持させ、前記ロッドのガイド孔の内面に係合部を形成するとともに、前記ガイドコーンの円筒部の周壁に、前記係合部に係合可能な係合部材を収容する収容孔を形成し、前記作動部材が前記キャップの天面に当接して前記ロッドに対して相対的に押し上げられた際に、前記係合部材を係合部に押し付けて前記ロッドとガイドコーンとを昇降方向に連結することを特徴とするものである。
【発明の効果】
【０００９】
本発明の容器移送装置は、容器の頭部を押圧して保持するトップロケータの、昇降するロッドと容器に当接するガイドコーンとを昇降方向に相対移動可能にするとともに、これらロッドとガイドコーンとを連結可能なロック機構を設け、容器が供給されたときには、ロック機構によってロッドとガイドコーンとを一体化し、容器が供給されなかったときには、ガイドコーンをロッドに対して上昇可能にすることにより、載置部上に容器を供給する入口スターホイール等の供給手段において、容器の抜けが発生した場合でも、容器を保持しているスターホイールやメインガイド等の供給手段側にダメージを与えるおそれがない。
【図面の簡単な説明】
【００１０】
【図１】図１は本発明の一実施例に係る容器移送装置を備えたラベラの全体の配置を示す平面図である。（実施例１）
【図２】図２は図１のII−II線に沿う断面図である。
【図３】図３は容器移送装置の要部を拡大して示す縦断面図である。
【図４】図４はトップロケータのロック機構の構造を説明する縦断面図である。
【図５】図５はトップロケータの作動状態を説明する図であり、図（ａ）は供給された容器をトップロケータが押さえた状態を示す図、図（ｂ）は容器が供給されなかった場合を示す図である。
【発明を実施するための形態】
【００１１】
回転体に、容器が載置される載置部と、この載置部上の容器を上方から押圧するトップロケータとが設けられ、トップロケータによって容器を押圧した状態で、回転体の回転に伴って容器を回転移送する容器移送装置である。前記トップロケータは、下方に付勢されたロッドとこのロッドに対して昇降自在に支持されているガイドコーンとを有しており、これらロッドとガイドコーンとはロック機構によって昇降方向に一体化することができるようになっている。このトップロケータは、載置部に供給された容器の頭部に被せられているキャップの天面に当接する作動ピンを備えており、この作動ピンが供給された容器の頭部に当接するとロック機構が作動して、ロッドとガイドコーンとを連結し、容器が供給されない場合には、作動ピンがロック機構を作動させず、ガイドコーンをロッドに対して上昇できるようにするという構成で、載置部に供給される容器に抜けがあった場合でも、入口スターホイールやガイド部材等の供給側の構造にダメージを与えることを防止するという目的を達成する。
【実施例１】
【００１２】
以下、図面に示す実施例により本発明を説明する。この実施例の容器移送装置１は、ラベラ（全体として符号２で示す）に設けられており、コンベヤ４によって連続的に搬送されてきた容器（この実施例では取っ手付きのペットボトル）６が、インフィードスクリュー８によって所定の間隔に切り離された後、入口スターホイール１０に受け渡される。このペットボトル６は、入口スターホイール１０とセンターガイド１２によって保持されて回転搬送され、受け渡し部Ａで容器移送装置１の容器台１４上に供給される（図２に示す状態）。容器台１４上に容器６が載せられると、その直後に上方からトップロケータ１６が下降して、容器６の頭部（正確にはキャップ６ａ）を押圧して位置決めし、容器台１４とトップロケータ１６でペットボトル６を挟持した状態で回転搬送する。容器移送装置１によって搬送されている間に、図示しないラベリング部でペットボトル６の外周面にラベルが貼り付けられる。その後、ペットボトル６は、出口スターホイール１８に受け渡され、センターガイド１２との間に保持されて回転搬送され、前記コンベヤ４上に排出されて次の工程に送られる。なお、ラベラ２の要部（ラベリング部の構成）は図示を省略している。この実施例の容器台１４が、請求項１に記載した載置部を構成している。
【００１３】
図２は入口スターホイール１０から容器移送装置１への受け渡し部Ａを示す図であり、入口スターホイール１０は、中央の駆動軸２０上に直立したピン２２が固定され、その周囲に上中下３枚のホイール２４Ａ、２４Ｂ、２４Ｃが配置されている。これら３枚のホイール２４Ａ、２４Ｂ、２４Ｃは複数の取付部材２６を介して固定されている。この実施例では、ペットボトル６の胴部６ｂの底部６ｃ寄りを下部ホイール２４Ｃによって、また、ほぼ中央部を中間ホイール２４Ｂによって保持し、上端のネック部６ｄを上部ホイール２４Ａによって保持するようになっている。３枚のホイール２４Ａ、２４Ｂ、２４Ｃには、それぞれが保持する部分を受け入れる円弧状の凹部２４Ａａ、２４Ｂａ、２４Ｃａが形成されている。
【００１４】
また、センターガイド１２は、入口スターホイール１０の３枚のホイール２４Ａ、２４Ｂ、２４Ｃとほぼ同じ高さに３枚のガイドプレート２８Ａ、２８Ｂ、２８Ｃが配置されている。これら３枚のガイドプレート２８Ａ、２８Ｂ、２８Ｃも直立した取付部材２９を介して固定されている。最も下側の下部ガイドプレート２８Ｃは、ペットボトル６の胴部６ｂの底部６ｃ付近を、中間ガイドプレート２８Ｂは、胴部６ｂのほぼ中央部をそれぞれガイドし、上方に配置された上部ガイドプレート２８Ａは、ペットボトル６のネック部６ｄをガイドするようになっている。入口スターホイール１０とセンターガイド１２の間の下方、および出口スターホイール１８とセンターガイド１２との間の下方には、それぞれ回転搬送されるペットボトル６の底面を支持する渡り板３０、３２が配置されている。なお、センターガイド１２は、入口スターホイール１０側は、前述のように上中下３枚のガイドプレート２８Ａ、２８Ｂ、２８Ｃによってペットボトル６をガイドするようになっているが、出口スターホイール１８は、中間ホイール３４Ｂおよび下部ホイール３４Ｃの２枚のホイールによってペットボトル６を保持するようになっており、センターガイド１２の出口スターホイール１８側は、中間ガイドプレート３６Ｂと下部ガイドプレート３６Ｃの２枚のプレートによってガイドするようになっている。
【００１５】
次に、容器移送装置１の構成について説明する。図３に示すように、ラベラ２の中央部に直立した回転軸３８が配置され、その下部側に水平な回転テーブル４０が取り付けられている。また、回転テーブル４０の上方に水平な回転プレート４２が取り付けられており、これら回転軸３８、回転テーブル４０および回転プレート４２によって請求項１に記載した回転体４４が構成されている。回転テーブル４０の外周寄りに円周方向等間隔で複数の容器台１４が回転自在に取り付けられている。
【００１６】
上方の回転プレート４２には、その外周部の、前記各容器台１４と上下に対応する位置にそれぞれトップロケータ１６が設けられている。回転プレート４２の上面には円筒状の保持部材４６が固定され、この円筒状保持部材４６の内部に、上部ロッド４８が上下に挿通されている。円筒状保持部材４６の上端には、前記上部ロッド４８を挿通可能な貫通孔が形成された蓋体５０が固定されている。また、回転プレート４２にも、上部ロッド４８を挿通可能な貫通孔が形成されており、上部ロッド４８は、蓋体５０と回転プレート４２を貫通して上方と下方に突出している。前記蓋体５０の下面と、上部ロッド４８の外周面に固定されたばね座５２との間にスプリング（以下、メインスプリングと呼ぶ）５４が介装され、上部ロッド４８を常時下方へ付勢している。このメインスプリング５４の付勢力は、容器台１４とトップロケータ１６でペットボトル６を挟んでしっかりと保持できるように設定されている。
【００１７】
前記上部ロッド４８の外面の、ばね座５２の取り付け位置よりもやや下方に、取付部材５６を介してカムフォロア５８が取り付けられている。円筒状保持部材４６には、鉛直方向を向いた縦方向の長孔４６ａが形成され、カムフォロア５８の取付部材５６がこの長孔４６ａに沿って昇降できるようになっている。前記回転プレート４２の上方には、図示しない機枠等の外部側に固定された円形の固定プレート６０が配置されており、この固定プレート６０の外周部に、ロッド昇降用のカム６２が取り付けられている。前記上部ロッド４８に取り付けられているカムフォロア５８はこのカム６２に係合して回転移動することによりカム６２の形状に応じて昇降し、上部ロッド４８を昇降させる。回転軸３８の外周面とカム６２が取り付けられている固定プレート６０との間には、ベアリング６１が介装されている。これらカムフォロア５８およびカム６２からなるカム機構により、トップロケータ１６を容器台１４に対して相対的に昇降させる昇降手段が構成されている。
【００１８】
図４に示すように、上部ロッド４８の下端部４８ａに、有底円筒状の下部ロッド６４が底部６４ａを下方に向けて接続されている。上部ロッド４８の下端部４８ａはその上部よりもやや小径になっており、この小径部４８ａに下部ロッド６４が嵌合している。上部ロッド４８の小径部４８ａに全周に渡る環状溝４８ａａが形成され、下部ロッド６４に固定されたピン６６がこの環状溝４８ａａ内に係合している。また、上部ロッド４８の下端面と下部ロッド６４の底部６４ａ内面との間にベアリング６７が配置されており、下部ロッド６４は上部ロッド４８に対して自由に回転できるとともに、これら上下のロッド４８、６４は上下方向に連結されて一体的に昇降する。
【００１９】
下部ロッド６４の下端に、上下に貫通する内部孔を有する筒体６８が固定されている。この筒体６８は、下部ロッド６４と一体に昇降し一体回転する。前記上部ロッド４８、下部ロッド６４およびこの筒体６８によって、請求項１に記載したロッド（全体として符号７０で示す）が構成されている。
【００２０】
前記ロッド７０の下端部を構成する筒体６８は、内面の下部寄りに上部側（以下、大径孔６８ａと呼ぶ）よりもやや小径のガイド孔６８ｂが形成されている。このガイド孔６８ｂ内に、ペットボトル６の頭部に装着されているキャップ６ａに当接するガイドコーン７２が昇降可能に保持されている。ガイドコーン７２は、ペットボトル６に当接する円錐状の部分７２ａと、その上端部の中央に形成されている円筒部７２ｂとを有しており、この円筒部７２ｂが前記ガイド孔６８ｂ内に挿通されている。円筒部７２ｂの上端に外周面から突出する環状の突出部７２ｃが形成され、この突出部７２ｃと前記下部ロッド６４の底面６４ａとの間にスプリング７４が介装されて、ガイドコーン７２を常時下方に付勢している。通常はガイドコーン７２の上端の突出部７２ｃが、ロッド７０の下端部を構成する筒体６８の内面に形成されたガイド孔６８ｂとその上方の大径孔６８ａとの間の段部に係合して下降端を規制されており、ガイドコーン７２に下方から力が作用したときには、ロッド７０に対してガイドコーン７２が相対的に上昇することができる。
【００２１】
ガイドコーン７２の円筒部７２ｂ内に作動ピン７６（請求項１の作動部材）が挿通されている。この作動ピン７６は、中央部に前記円筒部７２ｂの内径とほぼ同じ外径あるいは僅かに小さい外径を有する拡径部７６ｂが形成され、この拡径部７６ｂの上部側に小径の縮径部７６ａが、そして、下部側に小径の当接部７６ｃが形成されている。また、前記ガイドコーン７２の円筒部７２ｂの内部孔の下端に小径孔部７２ｄが形成されており、作動ピン７６の下部の当接部７６ｃが貫通している。前記下部ロッド６４の底面６４ａと作動ピン７６の上端面との間にスプリング７８が介装されており、作動ピン７６が常時下方に付勢されている。非作動時には、スプリング７８に押された作動ピン７６は、拡径部７６ｂの下面が前記ガイドコーン７２の小径孔部７２ｄの上面に当たって停止しており、トップロケータ１６が下降して、作動ピン７６の当接部７６ｃがペットボトル６のキャップ６ａの天面６ａａに当たることにより下方から力が作用すると、スプリング７８を撓めてガイドコーン７２に対して相対的に上昇する。作動ピン７６がガイドコーン７２の円筒部７２ｂ内で最も下降しているときには、その当接部７６ｃの下端面が、ガイドコーン７２のペットボトル６との当接面よりも下方に位置している。なお、ガイドコーン７２を下方へ付勢するスプリング７４および作動ピン７６を下方へ付勢するスプリング７８は、前記メインスプリング５４よりも遙かに小さいばね力（付勢力）に設定されている。
【００２２】
ガイドコーン７２の円筒部７２ｂの壁面に複数の貫通孔７２ｂａが形成されている。これら貫通孔７２ｂａは、係合部材（この実施例では鋼球８０）を保持するための収容孔である。また、ガイドコーン７２がロッド７０に対する下降端に位置しているときに、前記ガイド孔６８ｂの内面の、これら収容孔７２ｂａと対応する位置に係合部（凹部）６８ｂａが形成されている。各収容孔７２ｂａに保持されている鋼球８０は、ガイドコーン７２の円筒部７２ｂの肉厚よりも大きい径を有しており、円筒部７２ｂの半径方向に移動して円筒部７２ｂの内面側と外面側とに突出できるようになっている。ガイドコーン７２の円筒部７２ｂ内に挿通されている作動ピン７６が、ガイドコーン７２に対する下降端（図４に示す位置）に位置しているときには、収容孔７２ｂａおよび鋼球８０は、作動ピン７６の縮径部７６ａの外側に位置しており、鋼球８０が筒体６８の凹部６８ｂａに係合することはない。従って、ガイドコーン７２がロッド７０に対して上昇することができる。また、作動ピン７６がガイドコーン７２に対して上昇して、作動ピン７６の拡径部７６ｂが、収容孔７２ｂａ内の鋼球８０と対向する位置に移動したときには、拡径部７６ｂによって内側から押された鋼球８０が、円筒部７２ｂの外面側に突出してガイド孔６８ｂの凹部６８ｂａに係合する。この状態では、ガイドコーン７２とロッド７０とが連結されて一体的に昇降する。これら円筒部７２ｂの収容孔７２ｂａ、収容孔７２ｂａ内に保持された係合部材（鋼球）８０、筒体６８内面のガイド孔６８ｂに形成された係合部（凹部）６８ｂａおよび作動ピン７６によってロッド７０とガイドコーン７２とを昇降方向に連結するロック機構８２が形成されている。
【００２３】
以上の構成に係る容器移送装置１の作動について説明する。コンベヤ４によって搬送されてきたペットボトル６は、インフィードスクリュー８によって所定の間隔に切り離され、入口スターホイール１０に引き渡される。入口スターホイール１０は上中下３枚のホイール２４Ａ、２４Ｂ、２４Ｃを備えており、また、この入口スターホイール１０による搬送経路の外周側に配置されているセンターガイド１２も、入口スターホイール１０とほぼ同じ高さに、上中下３枚のガイドプレート２８Ａ、２８Ｂ、２８Ｃを有しており、ペットボトル６のネック部６ｄ、胴部６ｂおよび底部６ｃをそれぞれ両側から保持して回転搬送する。これら入口スターホイール１０とセンターガイド１２によって保持されて搬送されるペットボトル６の底面が渡り板３０によって支持される。
【００２４】
入口スターホイール１０の回転によって搬送されてきたペットボトル６がラベラ２への受け渡し部Ａに到達すると、このペットボトル６は、渡り板３０上からラベラ２の容器移送装置１の回転体４４に設けられている容器台１４上に載せられる（図２に示す状態）。ペットボトル６が容器台１４上に載ると、この容器台１４の上方に設けられているトップロケータ１６が下降する。トップロケータ１６のロッド７０はメインスプリング５４によって常時下方へ付勢されており、また、上部ロッド４８にはカムフォロア５８が取り付けられて固定のカム６２に係合しており、このカム６２の形状に応じて下降する。
【００２５】
図４に示すように、トップロケータ１６は、非作動時には作動ピン７６の下端の当接部７６ｃがガイドコーン７２の下端よりも下方に突出しており、最初に作動ピン７６の下端の当接部７６ｃがペットボトル６のキャップ６ａの天面６ａａに当たる。トップロケータ１６全体の下降につれて作動ピン７６がロッド７０およびガイドコーン７２に対して相対的に押し上げられて上昇する。作動ピン７６が上昇して、拡径部７６ｂがガイドコーン７２の円筒部７２ｂに形成されている収容孔７２ｂａおよびこの収容孔７２ｂａ内の鋼球８０の位置に到達すると、収容孔７２ｂａ内の鋼球８０が円筒部７２ｂの外方側へ押し出されて筒体６８のガイド孔６８ｂの内面に形成されている凹部６８ｂａ内に圧接され、ロッド７０とガイドコーン７２とを連結させる（図５（ａ）参照）。このようにロック機構８２によってロッド７０とガイドコーン７２とがトップロケータ１６の昇降方向に連結されると、メインスプリング５４によってロッド７０に作用している下方への付勢力がそのままガイドコーン７２に伝えられ、ペットボトル６を上方から押圧した状態で容器台１４とトップロケータ１６とで挟んで保持し、回転体４４の回転によって回転移送する。
【００２６】
この実施例の容器移送装置１によって回転移送されているペットボトル６は、ラベラ２のラベリング部（図示せず）で、容器台１４の中心とトップロケータ１６の軸心を中心に回転されながらラベルが貼付された後、出口スターホイール１８に引き渡され、この出口スターホイール１８とその搬送経路の外周側に配置されているセンターガイド１２によって保持されて回転搬送され、コンベヤ４上に排出されて次の工程に送られる。
【００２７】
また、コンベヤ４によって搬送され、入口スターホイール１０を介して容器台１４上に供給されるペットボトル６に抜けがあった場合、つまり入口スターホイール１０から容器台１４にペットボトル６が供給されなかった場合に付いて説明する。ペットボトル６が載せられるはずの容器台１４が容器受け渡し部Ａに到達すると、ペットボトル６が供給されているときと同じようにトップロケータ１６がカム６２の形状に応じて下降する。トップロケータ１６が下降してきた位置にペットボトル６が無いと、スプリング７８に押されてガイドコーン７２の下方に突出している作動ピン７６は、干渉するものが無く、ガイドコーン７２との位置関係が変わらないまま下降し、図５（ｂ）に示すように、ガイドコーン７２が入口スターホイール１０とセンターガイド１２に干渉する。作動ピン７６がガイドコーン７２に対して相対的に上昇していないときは、ガイドコーン７２に形成された収容孔７２ｂａ内の鋼球８０は、作動ピン７６の縮径部７６ａの外方に位置しているので、ロック機構８２が働かず、ガイドコーン７２がロッド７０に対して上昇できる状態になっており、ロッド７０の下降とともに、ガイドコーン７２がスプリング７４およびスプリング７８の付勢力に抗して相対的に上昇する。これら両スプリング７４、７８のばね力が弱いので、ロッド７０の下降する力すなわちメインスプリング５４の下方への付勢力が直接ガイドコーン７２に作用することはないため、入口スターホイール１０やセンターガイド１２にダメージを与えるおそれがない。なお、この実施例では、作動ピン７６の下端がガイドコーン７２の下端面から下方へ突出しているが、必ずしも突出している必要はなく、ペットボトル６のキャップ６ａがガイドコーン７２に当接する前に、この作動ピン７６を押し上げて前記ロック機構８２を作動させることができるものであればよい。また、この実施例では、トップロケータ１６が下降してペットボトル６を押圧して挟持するように構成しているが、容器台１４に対してトップロケータ１６を相対的に昇降させる昇降手段として容器台１４を昇降させる昇降手段を備えて、容器台１４を上昇させてペットボトル６をトップロケータ１６のガイドコーン７２に押し付けて押圧し、容器台１４とトップロケータ１６とで挟んで保持するように構成することもできる。
【符号の説明】
【００２８】
１    容器移送装置
６    容器（ペットボトル）
１４    載置部（容器台）
１６    トップロケータ
４４    回転体
７０    ロッド
７２    ガイドコーン
７６    作動部材（作動ピン）
８２    ロック機構
【図１】
0005418016.tif 000002
【図２】
0005418016.tif 000003
【図３】
0005418016.tif 000004
【図４】
0005418016.tif 000005
【図５】
0005418016.tif 000006